(57)【要約】【課題】メジャーを折り返すことなく、かつ、面倒な計算をすることなく距離を容易に把握できるようにする。【解決手段】巻き取り式メジャー６の測定を補助する測定補助治具１は、筐体７が載置される板状物２と、筐体７を板状物２に固定するための固定部４とを備え、板状物２の一辺Ｈは筐体７の長辺よりも長く、板状物２の一辺Ｈの一端３ａはメジャー８の目盛りに位置づけられ、他端３ｂは測定対象の端部１２に位置づけられることによりメジャー８の一部として機能するため、メジャー８で測定対象の長さを測定する際に、メジャー８を折り返す必要がない。また、筐体７が区切りの悪い長さに設定されている場合でも、板状物２の一辺Ｈの一端３ａの読取位置Ｓ１でメジャー８の目盛りの数値を読み取って、その数値に板状物２の一辺Ｈの長さを足し合わせるだけで、距離を容易に把握できる。【選択図】図２
2017106855.tif 000002
【特許請求の範囲】
【請求項１】
巻き取り式メジャーによる長さの測定を補助する測定補助治具であって、
該巻き取り式メジャーは、目盛りを有するメジャーと、該メジャーが収容される筐体とを少なくとも備え、
該測定補助治具は、該筐体が載置される板状物と、
該筐体を該板状物に固定する固定部と、を備え、
該板状物の一辺は該筐体の長辺よりも長く、
該板状物の一辺の一端は該メジャーの目盛りに位置づけられ、他端は測定対象の端部に位置づけられ、該メジャーの一部となることを特徴とする測定補助治具。
【発明の詳細な説明】
【技術分野】
【０００１】
本発明は、巻き取り式のメジャーによる長さ測定を補助する治具に関する。
【背景技術】
【０００２】
被測定物等の長さを測定するために、例えば、巻き取り式メジャーが用いられている。巻き取り式メジャーは、例えば、目盛り付きのメジャー（巻尺）が、ケース（筐体）の内部に配設され巻き取り用のバネを内蔵したドラムに巻かれ、メジャーの端がバネに連結されて筐体内に収容された構成となっている。そして、筐体からメジャーを引き出して被測定物の長さ測定に使用される。また、特許文献１においては、バネを用いずに、筐体内に配設されたモータに連動しメジャーの引き出しと巻き取りとを可能にしたメジャーが提案されている。
【先行技術文献】
【特許文献】
【０００３】
【特許文献１】特開平０１−２７７７０１号公報
【発明の概要】
【発明が解決しようとする課題】
【０００４】
しかし、上記のような巻き取り式メジャーを用いて、例えば、所定の高さからから床までの距離をメジャーで測る際（メジャーの目盛りを読み取る際）に、筐体が床に当たって邪魔になることから、メジャーを折り返して目盛りを床に接触させた状態で目盛りを読む必要があり、正確な距離を測定することが困難となっている。また、筐体の長さは、例えば６２ｍｍなどの区切りの悪い長さで構成されているため、筐体を床に接触させた状態で距離を測定しようとすると、筐体からメジャーが出入りする出入口の位置に位置づけられたメジャーの目盛りの数値に筐体の長さを足し合わせて距離を測定する必要があり、距離を把握するのに面倒な計算しなければならない。
【０００５】
本発明は、上記の事情に鑑みてなされたものであり、メジャーを折り返すことなく、かつ、面倒な計算をすることなく距離を容易に把握できるようにすることを目的としている。
【課題を解決するための手段】
【０００６】
本発明は、巻き取り式メジャーによる長さの測定を補助する測定補助治具であって、該巻き取り式メジャーは、目盛りを有するメジャーと、該メジャーが収容される筐体とを少なくとも備え、該測定補助治具は、該筐体が載置される板状物と、該筐体を該板状物に固定する固定部と、を備え、該板状物の一辺は該筐体の長辺よりも長く、該板状物の一辺の一端は該メジャーの目盛りに位置づけられ、他端は測定対象の端部に位置づけられ、該メジャーの一部となることを特徴とする。
【発明の効果】
【０００７】
本発明の測定補助治具は、筐体が載置される板状物と、筐体を板状物に固定するための固定部とを備え、板状物の一辺は筐体の長辺よりも長く、板状物の一辺の一端がメジャーの目盛りに位置づけられ、他端が測定対象の端部に位置づけられることにより、板状物がメジャーの一部として機能するように構成したため、メジャーで長さを測定する際に、メジャーを折り返す必要がない。また、筐体が、例えば６２ｍｍなどの区切りの悪い長さに設定されている場合でも、板状物の一辺の一端の位置でメジャーの目盛りの数値を読み取って、その数値に板状物の一辺の長さを足し合わせるだけで、距離を算出できるため、面倒な計算をすることなく、距離を容易に把握することができる。
【図面の簡単な説明】
【０００８】
【図１】測定補助治具の第１例の構成を示す斜視図である。
【図２】測定補助治具の第１例の使用状態を示す側面図である。
【図３】測定補助治具の第２例の構成を示す斜視図である。
【図４】測定補助治具の第２例の使用状態を示す側面図である。
【図５】測定補助治具の第２例の固定部に巻き取り式メジャーを固定した状態を示す側面図である。
【図６】測定補助治具の第３例の構成を示す斜視図である。
【図７】測定補助治具の第４例の構成を示す斜視図である。
【発明を実施するための形態】
【０００９】
図１に示す測定補助治具１は、図２に示す巻き取り式メジャー６による長さの測定を補助するための測定補助治具の第１例である。巻き取り式メジャー６は、表面に目盛りを有する細帯状のメジャー８と、メジャー８が収容される筐体７とを少なくとも備える。メジャー８は、図示していないが、筐体７の内部に配設され巻き取り用のバネを内装したドラムに巻かれている。メジャー８の一端には爪部１０が取り付けられ、メジャー８の他端がバネに連結された構成となっている。メジャー８は、例えば、スチールなどの金属により形成され、その幅方向においてＲ形状（メジャー８の幅方向に湾曲した形状）に形成されている。なお、メジャー８の長さは、特に限定されない。
【００１０】
筐体７には、メジャー８の出入口７０が形成されている。この出入口７０からメジャー８を所望の長さだけ引き出したり、バネの付勢によってメジャー８を筐体７内に巻き取ったりすることができる。筐体７の側面には、クリップ９が取り付けられており、例えば、作業者がベルト等にクリップ９を挟んで巻き取り式メジャー６を携帯することができる。なお、巻き取り式メジャー６は、本実施形態に示す構成に限られない。
【００１１】
測定補助治具１は、筐体７が載置される板状物２と、筐体７を板状物２に固定するための板状の固定部４とを備える。板状物２は、図１に示すように、長方形板状に形成され、板状物２の一辺Ｈは、筐体７の長辺よりも長くなっている。板状物２の一辺Ｈの長さは、区切りのいい長さに設定される。したがって、一辺Ｈの長さは、例えば、１００ｍｍ、２００ｍｍ、３００ｍｍ等に設定される。
【００１２】
このように構成される板状物２の一辺Ｈの一端３ａが、メジャー８の所定の目盛りに位置づけられ、他端３ｂが測定対象の端部に位置づけられることにより、板状物２がメジャー８の一部として機能する。すなわち、板状物２の一辺Ｈの一端３ａに位置づけられたメジャー８の目盛りの数値に板状物２の一辺Ｈの長さを足し合わせるだけで、距離を把握することができる。なお、板状物２の材質や厚みは、特に限定されない。
【００１３】
固定部４は、板状物２の側部から垂直に立設されている。この固定部４に図２に示すクリップ９を挟むことにより、板状物２に巻き取り式メジャー６を固定することができる。固定部４には、貫通孔５が形成されており、貫通孔５をフック等にかけることができ、測定補助治具１の保管が容易となる。固定部４は、板状物２に固定してもよいし、板状物２に対して着脱自在に固定してもよい。固定部４の材質は、特に限られず、例えば磁石で構成してもよい。この場合、筐体７が金属等により形成されていれば、固定部４に筐体７を磁力で密着させて板状物２に巻き取り式メジャー６を固定することができる。
【００１４】
次に、図２を参照しながら、測定補助治具１で巻き取り式メジャー６を補助しながら測定対象の端部１１から端部１２までの距離１００を測定する動作について説明する。板状物２の一辺Ｈの長さは、１００ｍｍに設定されているものとする。
【００１５】
板状物２の表面に筐体７を載置するとともに、固定部４にクリップ９を挟むことにより板状物２に巻き取り式メジャー６を固定する。巻き取り式メジャー６が固定された測定補助治具１を測定対象の端部１１と端部１２との間に位置づける。具体的には、板状物２の一端３ａを測定対象の端部１１に対面させ、板状物２の他端３ｂを測定対象の端部１２に当接させる。続いて、筐体７の出入口７０からメジャー８を引き出し、爪部１０を測定対象の端部１１に押し当てる。このとき、巻き取り式メジャー６は固定部４によって板状物２に固定されているため、引き出されたメジャー８が撓むことはない。
【００１６】
次いで、板状物２の一端３ａと同じ位置に相当する読取位置Ｓ１において、引き出されたメジャー８の目盛りの数値を読み取る。読取位置Ｓ１におけるメジャー８の目盛りの数値が、例えば、３６ｍｍと表示された場合、測定対象の端部１１から板状物２の一辺Ｈの一端３ａまでの長さＬ１が３６ｍｍであると認識することができる。そして、長さＬ１の数値（３６ｍｍ）に板状物２の一辺Ｈの長さ（１００ｍｍ）を足し合わせることにより、測定対象の距離１００が１３６ｍｍであると算出することができる。
【００１７】
このように、本発明の測定補助治具１は、筐体７が載置される板状物２と、筐体７を板状物２に固定するための固定部４とを備え、板状物２の一辺Ｈは筐体７の長辺よりも長く区切りのいい長さに設定され、一辺Ｈの一端３ａがメジャー８の所定の目盛りに位置づけられ、他端３ｂが測定対象の端部１２に位置づけられることにより、板状物２がメジャー８の一部として機能するため、メジャー８で長さを測定する際に、メジャー８を折り返す必要がない。また、筐体７が、例えば６２ｍｍなどの区切りの悪い長さに設定されている場合でも、読取位置Ｓ１でメジャー８の目盛りの数値を読み取って、その数値に板状物２の一辺Ｈの長さを足し合わせるだけで、距離１００を容易に把握することができる。
【００１８】
図３に示す測定補助治具２０は、測定補助治具の第２例であり、筐体７が載置される板状物２１と、筐体７を板状物２１に固定するための板状の固定部２３とを備える。板状物２１の形状及び一辺Ｈの長さは、上記の第１例と同様に区切りのいい長さに設定される。この板状物２１は、板状物２１の一辺Ｈの一端２２ａが、メジャー８の所定の目盛りに位置づけられるとともに、他端２２ｂが測定対象の端部に位置づけられることにより、メジャー８の一部として機能する。
【００１９】
板状物２１の表面には、滑り止め２５が貼り付けられており、筐体７が板状物２１の表面で滑るのを防止することができる。滑り止め２５は、例えば、ゴムシート等により形成されている。滑り止め２５の大きさは、特に限られないが、少なくとも筐体７の被載置面（筐体７の下面）の面積以上の大きさに構成されていればよい。なお、固定部２３で筐体７を板状物２１に確実に固定できれば、滑り止め２５を設けなくてもよい。
【００２０】
板状物２１の一端２２ａには、厚肉部２６が形成されている。厚肉部２６は、図４に示すように、筐体７に形成された出入口７０から引き出されるメジャー８を水平に支持する。すなわち、厚肉部２６がメジャー８の下面と板状物２１の表面との間の僅かな隙間を埋めてメジャー８の下面に密着することで引き出されたメジャー８が水平に支持されるため、メジャー８の目盛りを読みやすくすることができる。なお、厚肉部２６は、メジャー８の幅方向のＲ形状に沿って湾曲させて形成してもよい。
【００２１】
固定部２３の構成は、上記の第１例と同様である。すなわち、固定部２３は、板状物２１の側部から垂直に立設されている。図５に示すクリップ９を固定部２３に挟むことにより、板状物２１に巻き取り式メジャー６を固定することができる。この固定部２３にも貫通孔２４が形成されており、貫通孔２４をフック等にかけることができる。また、固定部２３は、板状物２１に固定してもよいし、板状物２１に対して着脱自在に固定してもよい。固定部２１の材質は、例えば磁石で構成してもよい。
【００２２】
次に、図４を参照しながら、測定補助治具２０で巻き取り式メジャー６の測定を補助しながら測定対象の端部１３から端部１４までの距離１０１を測定する動作について説明する。板状物２１の一辺Ｈの長さは、上記の第１例と同様に１００ｍｍに設定されているものとする。
【００２３】
板状物２１の表面に筐体７を載置するとともに、固定部２３にクリップ９を挟むことにより板状物２１に巻き取り式メジャー６を固定する。巻き取り式メジャー６が固定された測定補助治具２０を測定対象の端部１３と端部１４との間に位置づける。具体的には、板状物２１の一端２２ａを測定対象の端部１３に対面させ、板状物２１の他端２２ｂを測定対象の端部１４に当接させる。続いて、筐体７の出入口７０からメジャー８を引き出し、爪部１０を端部１３に押し当てる。このとき、巻き取り式メジャー６は固定部２３によって板状物２１に固定され、かつ、図３に示した滑り止め２５によって筐体７が板状物２１の表面で滑らないため、引き出されたメジャー８が撓むことはない。
【００２４】
次いで、板状物２１の一端２２ａと同じ位置に相当する読取位置Ｓ２において、引き出されたメジャー８の目盛りの数値を読み取る。読取位置Ｓ２におけるメジャー８の目盛りの数値が、例えば、２１ｍｍと表示された場合、測定対象の端部１３から板状物２１の一辺Ｈの一端２２ａまでの長さＬ２が２１ｍｍであると認識することができる。長さＬ２の数値（２１ｍｍ）に板状物２１の一辺Ｈの長さ（１００ｍｍ）を足し合わせることにより、測定対象の距離１０１が１２１ｍｍであると算出することができる。このように、測定補助治具２０においても、上記の第１例と同様に、板状物２１の一辺Ｈの一端２２ａがメジャー８の所定の目盛りに位置づけられ、他端２２ｂが測定対象の端部１４に位置づけられることにより、板状物２１がメジャー８の一部として機能するため、測定対象の距離の測定時にメジャー８を折り返す必要がないし、筐体７が区切りの悪い長さに設定されている場合でも、読取位置Ｓ２でメジャー８の目盛りの数値を読み取って、その数値に板状物２１の一辺Ｈの長さを足し合わせるだけで、測定対象の距離１０１を容易に把握することができる。
【００２５】
図６に示す測定補助治具３０は、測定補助治具の第３例であり、上記した筐体７が載置される板状物３１と、固定部の変形例である板状の固定部３３とを備える。板状物３１の形状及び一辺Ｈの長さは、上記の第１例と同様に、区切りのいい長さに設定される。この板状物３１は、板状物３１の一辺Ｈの一端３２ａが、メジャー８の所定の目盛りに位置づけられるとともに、他端３２ｂが測定対象の端部に位置づけられることにより、メジャー８の一部として機能する。また、板状物３１の一端３２ａには、厚肉部３４が形成されている。
【００２６】
固定部３３は、その面が板状物３１の一辺Ｈと直交する方向に向くように、板状物３１の他端３２ｂ側に近い表面から垂直に立設されている。この固定部３３では、支持面３３０に筐体７を押し当てて板状物３１に巻き取り式メジャー６を固定することができる。固定部３３は、板状物３１に固定してもよいし、板状物３１に対して着脱自在に固定してもよい。固定部３１の材質は、例えば磁石で構成してもよい。
【００２７】
このように構成される測定補助治具３０で巻き取り式メジャー６の測定を補助しながら測定対象の距離を測定する際には、固定部３３の支持面３３０に筐体７を押し当てて板状物３１の表面に巻き取り式メジャー６を固定し、上記の第１例と同様に、板状物３１の一端３２ａを測定対象の一方の端部に対面させるとともに、板状物３１の他端３２ｂを測定対象の他方の端部に当接させ、板状物３１の一端３２ａの読取位置でメジャー８の目盛りの数値を読み取り、その数値に板状物３１の一辺Ｈの長さを足し合わせて、距離を測定すればよい。
【００２８】
図７に示す測定補助治具４０は、測定補助治具の第４例であり、上記の筐体７が載置される板状物４１と、固定部の変形例である固定部４３とを備える。板状物４１の形状及び一辺Ｈの長さは、上記の第１例と同様に、区切りのいい長さに設定される。この板状物４１は、板状物４１の一辺Ｈの一端４２ａが、メジャー８の所定の目盛りに位置づけられるとともに、他端４２ｂが測定対象の端部に位置づけられることにより、メジャー８の一部として機能する。また、板状物４１の一端４２ａには、厚肉部４４が形成されている。
【００２９】
固定部４３は、板状物４１の一辺Ｈと平行に向いて、筐体７の外枠よりもわずかに大きく形成されている。この固定部４３では、筐体７を固定部４３に嵌合して、板状物４１に巻き取り式メジャー６を固定することができる。なお、固定部４３の深さは、特に限定されないが、固定部４３に筐体７を嵌めると板状物４１に対し巻き取り式メジャー６が沈むため、筐体７の出入口７０が固定部４３の溝に塞がれない程度の深さに固定部４３を形成するとよい。また、固定部４３に筐体７を嵌合した状態で、出入口７０から引き出されるメジャー８の下面と板状物４１の表面との間に隙間が生じなければ、板状物４１の一端４２ａに厚肉部４４を形成しなくてもよい。
【００３０】
このように構成される測定補助治具４０で巻き取り式メジャー６の測定を補助しながら距離を測定する際には、固定部４３に筐体７を嵌合して板状物４１に巻き取り式メジャー６を固定し、上記の第１例と同様に、板状物４１の一端４２ａを測定対象の一方の端部に対面させるとともに、板状物４１の他端４２ｂを測定対象の他方の端部に当接させ、板状物４１の一端４２ａの読取位置でメジャー８の目盛りの数値を読み取り、その数値に板状物４１の一辺Ｈの長さを足し合わせて距離を測定すればよい。
【符号の説明】
【００３１】
１：測定補助治具  ２：板状物  ３ａ：一端  ３ｂ：他端  ４：固定部  ５：貫通孔
６：巻き取り式メジャー  ７：筐体  ７０：出入口  ８：メジャー
９：クリップ  １０：爪部  １１，１２，１３，１４：端部
２０：測定補助治具  ２１：板状物  ２２ａ：一端  ２２ｂ：他端
２３：固定部  ２４：貫通孔  ２５：滑り止め  ２６：厚肉部
３０：測定補助治具  ３１：板状物  ３２ａ：一端  ３２ｂ：他端
３３：固定部  ３３０：支持面  ３４：厚肉部
４０：測定補助治具  ４１：板状物  ４２ａ：一端  ４２ｂ：他端
４３：固定部  ４４：厚肉部
【図１】
2017106855.tif 000003
【図２】
2017106855.tif 000004
【図３】
2017106855.tif 000005
【図４】
2017106855.tif 000006
【図５】
2017106855.tif 000007
【図６】
2017106855.tif 000008
【図７】
2017106855.tif 000009